(57)【特許請求の範囲】
【請求項１】
筐体を構成する背面カバーの一側下部から温水チューブが、下部からコネクタにより接続されて先端部に室温サーミスタを備えたリード線が夫々導出され、前記背面カバーに、前記リード線を固定する固定具と、前記室温サーミスタを支持する支持具とを取付けるようにしてなるファンコンベクタにおいて、前記支持具の取付手段が、前記背面カバーに設けた係止孔と、同係止孔に対応して前記支持具に設けた係止部とで構成されるとともに、前記固定具の取付手段が、前記背面カバーに設けたねじ孔と、同ねじ孔に対応して前記固定具に設けた挿通孔とで構成され、前記係止孔が、前記背面カバーの一側上部および他側下部に設けられるとともに、前記ねじ孔が、前記コネクタの近傍に設けられてなり、前記温水チューブが、前記背面カバーの一側外方向に導出された際、前記支持具に設けた係止部を、前記背面カバーの他側下部に設けた係止孔に係止するとともに、前記固定具の挿通孔を挿通したねじを、前記コネクタ近傍に設けたねじ孔に螺着し、他側方向に導出された際、前記支持具に設けた係止部を、前記背面カバーの一側上部に設けた係止孔に係止するとともに、前記固定具の挿通孔を挿通したねじを、前記コネクタ近傍に設けたねじ孔に螺着することにより、前記室温サーミスタを前記支持具で支持するとともに、前記リード線を前記固定具で固定するようにしたことを特徴とするファンコンベクタ。
【発明の詳細な説明】
【０００１】
【発明の属する技術分野】
本発明は、ファンコンベクタに係わり、より詳細には、背面カバーからの温水チューブの導出方向に応じて、同温水チューブから離間した位置に室温サーミスタを付換えできるようにした構造に関する。
【０００２】
【従来の技術】
従来のファンコンベクタは、例えば図５で示すように、床面上に設置されるスタンド２と、同スタンド２上部の前後に被着される前面カバー３および背面カバー４とで筐体１が構成され、同背面カバー４の一側下部から温水チューブ12が、下部からコネクタにより接続されて先端部に室温サーミスタ８を備えたリード線が夫々導出され、前記温水チューブ12の先端部が室内の壁面等に固着された接続器13に接続される一方、前記背面カバー４の下部に、前記リード線を固定する固定具と、前記室温サーミスタ８を支持する支持具とを取り付けるようにしてなる構成であった。
【０００３】
しかしながら、前記筐体１が室内に設置される時の設置条件等により、例えば前記温水チューブ12が前記背面カバー４の他側方向に向けて導出されたような場合、同温水チューブ12に前記室温サーミスタ８が近接または当接してしまうことによって、同温水チューブ12内を流れる温水温度の影響をうけて正確な室温を検知できないという問題を有していた。
【０００４】
【発明が解決しようとする課題】
本発明においては、上記の問題点に鑑み、背面カバーからの温水チューブの導出方向に応じて、同温水チューブから離間した位置に室温サーミスタを付換えできるようにしたファンコンベクタを提供することを目的とする。
【０００５】
【課題を解決するための手段】
本発明は、上述の課題を解決するため、筐体を構成する背面カバーの一側下部から温水チューブが、下部からコネクタにより接続されて先端部に室温サーミスタを備えたリード線が夫々導出され、前記背面カバーに、前記リード線を固定する固定具と、前記室温サーミスタを支持する支持具とを取付けるようにしてなるファンコンベクタにおいて、前記支持具の取付手段が、前記背面カバーに設けた係止孔と、同係止孔に対応して前記支持具に設けた係止部とで構成されるとともに、前記固定具の取付手段が、前記背面カバーに設けたねじ孔と、同ねじ孔に対応して前記固定具に設けた挿通孔とで構成され、前記係止孔が、前記背面カバーの一側上部および他側下部に設けられるとともに、前記ねじ孔が、前記コネクタの近傍に設けられてなり、前記温水チューブが、前記背面カバーの一側外方向に導出された際、前記支持具に設けた係止部を、前記背面カバーの他側下部に設けた係止孔に係止するとともに、前記固定具の挿通孔を挿通したねじを、前記コネクタ近傍に設けたねじ孔に螺着し、他側方向に導出された際、前記支持具に設けた係止部を、前記背面カバーの一側上部に設けた係止孔に係止するとともに、前記固定具の挿通孔を挿通したねじを、前記コネクタ近傍に設けたねじ孔に螺着することにより、前記室温サーミスタを前記支持具で支持するとともに、前記リード線を前記固定具で固定するようにした。
【００１０】
【発明の実施の形態】
以下、本発明の実施の形態を、添付図面に基づいた実施例として説明する。
図１と、図２と、図３（Ａ）乃至図３（Ｃ）と、図４とにおいて、１はファンコンベクタの筐体、２は同筐体１を構成するスタンド、３および４は同スタンド２上部の前後に被着される前面カバーおよび背面カバー、５は同背面カバー４の下部に配置されたコネクタ、７は同コネクタ５に対応するコネクタ６を基端部に備え先端部に室温サーミスタ８を備えたリード線、９は同リード線７を前記背面カバー４の所定の位置にねじ10で螺着し固定するための固定具、11は前記室温サーミスタ８を前記背面カバー４の所定の位置に取り付けて支持するための支持具、12は前記背面カバー４の一側下部から導出して先端部を室内の壁面に固着された接続器13に接続した温水チューブである。
【００１１】
前記支持具11を前記背面カバー４に取り付けるための取付手段は、図３（Ａ）および図３（Ｂ）で示すように、同背面カバー４に設けた係止孔4bと、同係止孔4bに対応して前記支持具11に設けた係止部11a とで構成されるとともに、前記固定具９を前記背面カバー４に取り付けるための取付手段は、図３（Ａ）および図３（Ｃ）で示すように、同背面カバー４に設けたねじ孔4aと、同ねじ孔4aに対応して前記固定具９に設けた挿通孔9bとで構成され、前記係止孔4bが、前記背面カバー４の一側上部および他側下部に夫々設けられるとともに、前記ねじ孔4aが、前記係止孔4bおよび前記コネクタ５の間であって同コネクタ５の近傍に夫々設けられてなり、
前記温水チューブ12が、前記背面カバー４の一側外方向に導出された際、前記支持具11に設けた係止部11a を前記背面カバー４の他側下部に設けた係止孔4bに係止するとともに、前記リード線７の一部を前記固定具９の挟持部9aで挟持した状態で、同固定具９の挿通孔9bを挿通したねじ10を前記コネクタ５および前記背面カバー４の他側下部に設けた係止孔4bの間のねじ孔4aに螺着して、前記室温サーミスタ８を前記支持具11で支持するとともに前記リード線７を前記固定具９で固定するようにし、
前記温水チューブ12が、前記背面カバー４の他側方向に導出された際、前記支持具11に設けた係止部11a を前記背面カバー４の一側上部に設けた係止孔4bに係止するとともに、前記固定具９の挿通孔9bを挿通したねじ10を前記コネクタ５および前記背面カバー４の一側上部に設けた係止孔4bの間のねじ孔4aに螺着して、前記室温サーミスタ８を前記支持具11で支持するとともに前記リード線７を前記固定具９で固定するようにした構成となっており、
これによって、前記筐体１が室内に設置される時の設置条件等により、例えば前記温水チューブ12が前記背面カバー４の他側方向に向けて導出されたような場合であっても、同温水チューブ12に前記室温サーミスタ８が近接または当接してしまうことがないようにし、同温水チューブ12内を流れる温水温度の影響をうけることがないようにして、前記室温サーミスタ８が正確な室温を検知できないという問題が生じないようにした構造となる。
【００１２】
また、前記コネクタ５を、図４で示すように、前記背面カバー４の下部一側寄りおよび、または下部他側寄りに配置したことにより、前記リード線７は、前記背面カバー４の表面に露出する長さが短くなって、配線の作業性がよくなると同時に、同配線の引回しを短くさせてスッキリした構成となっている。
【００１３】
また、前記支持具11の係止部11a を、先端部を開放した略Ｕ字状の溝部11e を設けて弾性をもたせることにより、前記背面カバー４の一側上部および他側下部に夫々設けられた前記係止孔4bに付換え可能に係止できるようにした構成となっており、
これによって、前記筐体１が室内に設置される時の設置条件等により前記温水チューブ12を導出する方向に対応して、同温水チューブ12内の温水温度の影響をうけることがない位置を選んで、前記室温サーミスタ８を支持するための略Ｕ字状の支持部11b を先端に形成した前記支持具11を、前記背面カバー４に容易に取り付けることができるようにした構造となる。
【００１４】
また、前記支持具11の係止部11a 近傍に、図３（Ｂ）で示すように、前記背面カバー４の表面に接触するフランジ11c を連続形成したことにより、前記係止部11a を前記係止孔4bに係止した際、該係止部11aに適宜強度をもたせることができて、前記支持具11により、前記室温サーミスタ８を強固に支持できるようにした構成となっている。
【００１５】
更に、前記フランジ11c の周縁部に、図３（Ｂ）で示すように、前記背面カバー４の表面に対向する突条片11d を立設したことにより、同突条片11d を、前記フランジ11c の弾性変形を利用しながら前記背面カバー４の表面に押圧させることができるので、前記係止部11a を前記係止孔4bに係止した際、該係止部11aに更に強度をもたせることができるようにした構成となっている。
【００１６】
以上の構成により、図１と、図２と、図３（Ａ）乃至図３（Ｃ）と、図４とで示すように、前記温水チューブ12が、前記背面カバー４の一側外方向に導出された際、前記支持具11に設けた係止部11a を前記背面カバー４の他側下部に設けた係止孔4bに係止するとともに、前記リード線７の一部を前記固定具９の挟持部9aで挟持した状態で、同固定具９の挿通孔9bを挿通したねじ10を前記コネクタ５および前記背面カバー４の他側下部に設けた係止孔4bの間のねじ孔4aに螺着して、前記室温サーミスタ８を前記支持具11で支持するとともに前記リード線７を前記固定具９で固定するようにし、
前記温水チューブ12が、前記背面カバー４の他側方向に導出された際、前記支持具11に設けた係止部11a を前記背面カバー４の一側上部に設けた係止孔4bに係止するとともに、前記固定具９の挿通孔9bを挿通したねじ10を前記コネクタ５および前記背面カバー４の一側上部に設けた係止孔4bの間のねじ孔4aに螺着して、前記室温サーミスタ８を前記支持具11で支持するとともに前記リード線７を前記固定具９で固定するようにしたので、
前記筐体１が室内に設置される時の設置条件等により、例えば前記温水チューブ12が前記背面カバー４の他側方向に向けて導出されたような場合であっても、同温水チューブ12に前記室温サーミスタ８が近接または当接してしまうことがないようにし、同温水チューブ12内を流れる温水温度の影響をうけることがないようにして、前記室温サーミスタ８が正確な室温を検知できないという問題が生じないようにしたファンコンベクタとなる。
【００１７】
【発明の効果】
以上のように本発明によると、背面カバーからの温水チューブの導出方向に応じて、同温水チューブから離間した位置に室温サーミスタを付換えできるようにしたファンコンベクタとなる。
【図面の簡単な説明】
【図１】本発明によるファンコンベクタの一例を示す背面側の斜視図である。
【図２】本発明によるファンコンベクタの他の例を示す背面側の斜視図である。
【図３】本発明によるファンコンベクタの説明図で、（Ａ）は図１の要部拡大図
であり、（Ｂ）および（Ｃ）は要部断面図である。
【図４】本発明によるファンコンベクタの背面図である。
【図５】従来例によるファンコンベクタの背面側の斜視図である。
【符号の説明】
１  筐体
２  スタンド
３  前面カバー
４  背面カバー
4a  ねじ孔4a
4b  係止孔
５，６  コネクタ
７  リード線
８  室温サーミスタ
９  固定具
9a  挟持部
9b  挿通孔
10  ねじ
11  支持具
11a 係止部
11b 支持部
11c フランジ
11d 突条片
11e 溝部
12  温水チューブ
13  接続器
【図１】
0003876535.tif 000002
【図２】
0003876535.tif 000003
【図３】
0003876535.tif 000004
【図４】
0003876535.tif 000005
【図５】
0003876535.tif 000006